(57)【要約】【課題】持ち運びが容易で必要なときに卓上に簡易に設置することができる卓上パーテーションを提供する。【解決手段】卓上パーテーション１０は、薄板状の仕切り体２０からなり、非使用時には、仕切り体２０の左端折曲部２１及び右端折曲部２２を左右方向中央側に折り畳んだ状態にしておき、使用時には、左端折曲部２１及び右端折曲部２２を前後方向に互いに逆向きに折り曲げた状態にすることにより、卓上に自立させて設置できる。【選択図】図２
0003229360.tif 000002
【実用新案登録請求の範囲】
【請求項１】
薄板状の仕切り体からなる卓上パーテーションであって、
前記仕切り体の左右方向の一端部及び他端部には、非使用時には、左右方向中央側に折り畳んだ状態にすると共に、使用時には、厚さ方向に互いに逆向きに折り曲げた状態にすることにより、卓上に自立させて設置できる折り畳み部を有することを特徴とする卓上パーテーション。
【請求項２】
前記仕切り体は、左右方向中央で折り畳むことが可能であることを特徴とする請求項１記載の卓上パーテーション。
【請求項３】
前記仕切り体には、前記一端部分の折り曲げ位置を規定する複数の第１折り線と、前記他端部分の折り曲げ位置を規定する複数の第２折り線とが設けられていることを特徴とする請求項１記載の卓上パーテーション。
【請求項４】
前記仕切り体は、上端部は略円弧状に形成され、最大高さ寸法が４１．５ｃｍ、最大幅寸法が７３ｃｍであって、上端部には高さ調節用の複数の切り取り線が設けられていることを特徴とする請求項１記載の卓上パーテーション。
【請求項５】
前記仕切り体の左右両端部には、マスク掛けを形成するためのスリットが設けられていることを特徴とする請求項１記載の卓上パーテーション。
【請求項６】
前記仕切り体は板紙製又は合成樹脂製であって、下端部の中央部分には、開口部を形成するための切り取り線が設けられていることを特徴とする請求項１記載の卓上パーテーション。
【考案の詳細な説明】
【技術分野】
【０００１】
本考案は、卓上に設置される仕切り装置に関し、より詳細には、卓上に簡易に設置することができるパーテーションに関する。
【背景技術】
【０００２】
各種ウィルス等による感染拡大を抑制する目的で、対面して着座する形式の催し物会場や、レストラン、喫茶店などの卓上に設置型のパーテーションが載置されている場合が多い。
しかしながら、設置型のパーテーションは所定の重量があり、主催者側、店側にとり、全ての卓の着席位置に設置型のパーテーションを設置することは煩雑であると共に、常時、設置型パーテーションが卓上に設置されることは、使用者、顧客にとっても煩わしい場合がある、という問題がある。
また、客が離席した場合に、係員がその都度、パーテーションの壁面を消毒薬で払拭する作業を行っているが、このような払拭作業は煩雑である、という不具合がある。
【０００３】
ところで、この種のパーテーションとして、パーテーション本体（シールド具）と、パーテーション本体を卓上に取り外し可能に保持する保持部材とを有する対面用防護パネルが知られている（特許文献１）。
【０００４】
特許文献１の対面用防護パネルは、パーテーション本体を保持部材から取り外し、折り畳んで搬送できるので簡便且つ衛生的であり、設置型パーテーションの上記欠点はない。
【先行技術文献】
【特許文献】
【０００５】
【特許文献１】実登３１５２４９３号公報
【考案の概要】
【考案が解決しようとする課題】
【０００６】
しかしながら、このようなパーテーションにあっては、パーテーション本体は合成樹脂製であることから、従来の設置型のパーテーションと同様に所定の重量があると共に、パーテーション本体が箱形であるため持ち運びに不便である、という不具合がある。
【０００７】
本考案は、持ち運びが容易であって、必要なときに卓上に簡易に設置することができる卓上パーテーションを提供する。
【課題を解決するための手段】
【０００８】
上記課題を解決するために、請求項１の卓上パーテーションは、薄板状の仕切り体からなる卓上パーテーションであって、前記仕切り体の左右方向の一端部及び他端部には、非使用時には、左右方向中央側に折り畳んだ状態にすると共に、使用時には、厚さ方向に互いに逆向きに折り曲げた状態にすることにより、卓上に自立させて設置できる折り畳み部を有することを特徴とする卓上パーテーションである。
【０００９】
上記のように構成された卓上パーテーションは、非使用時には、前記仕切り体の左右方向の一端部分及び他端部分を左右方向中央側に折り畳んだコンパクトな状態にできるので、持ち運びが容易であり、使用時には、仕切り体の左右方向の一端部分及び他端部分を前後方向に互いに逆向きに折り曲げた状態にするという簡易な作業により、卓上に自立させて設置することができる。
【００１０】
請求項２の卓上パーテーションは、請求項１の卓上パーテーションにおいて、前記仕切り体は、左右方向中央で折り畳むことが可能であることを特徴とする。この構成によれば、非使用時に、仕切り体を更にコンパクトな状態にできるので、持ち運びが更に容易である。
【００１１】
請求項３の卓上パーテーションは、請求項１の卓上パーテーションにおいて、前記仕切り体には、前記一端部分の折り曲げ位置を規定する複数の第１折り線と、前記他端部分の折り曲げ位置を規定する複数の第２折り線と、が設けられていることを特徴とする。この構成によれば、使用状況に応じて、第１折り線及び第２折り線を選択することにより、卓上パーテーションの横幅を調節できる。
【００１２】
請求項４の卓上パーテーションは、請求項１の卓上パーテーションにおいて、前記仕切り体は、上端部は略円弧状に形成され、最大高さ寸法が４１．５ｃｍ、最大幅寸法が７３ｃｍであって、上端部には高さ調節用の複数の切り取り線が設けられていることを特徴とする。
この構成によれば、使用状況に応じて、仕切り体の上端側の部分を切り取り線に沿って切断することにより、卓上パーテーションの高さを調節できる。
【００１３】
請求項５の卓上パーテーションは、請求項１の卓上パーテーションにおいて、前記仕切り体の左右両端部には、マスク掛けを形成するためのスリットが設けられていることを特徴とする。この構成によれば、仕切り体の左右両端部をスリットに沿って折り曲げるなどして、卓上パーテーションにマスク掛けを形成することができる。
【００１４】
請求項６の卓上パーテーションは、請求項１の卓上パーテーションにおいて、前記仕切り体は板紙製又は合成樹脂製であって、下端部の中央部分には、開口部を形成するための切り取り線が設けられていることを特徴とする。
【００１５】
この構成によれば、板紙製又は合成樹脂製の薄板状の仕切り体からなる卓上パーテーションを実現できる。仕切り体の開口部を形成するための切り取り線に沿って切断することにより、仕切り体の下端部の中央部分に開口部を形成することができる。
【考案の効果】
【００１６】
請求項１記載の考案によれば、持ち運びが容易で必要なときに卓上に簡易に設置することができる卓上パーテーションを実現できる。
従って、従来のように、比較的大型な設置型のパーテーションを、例えば、対面形式で着座する催し物会場内、又はレストラン内の全ての机又は卓の、全ての着席位置にあらかじめ設置する必要がなく、催し物会場又はレストランへの客の入場時に、本考案に係るパーテーションを客に手渡すか、又は客が自分で保持することにより、客側で必要に応じて、着席した机又は卓の天板上に、左右方向の両端部に形成された折り畳み部を、それぞれ厚さ方向反対側に展開することにより脚部として使用して、机上、又は卓上に簡易かつ迅速に設置することができ、有効に対面者との間でのウィルスの感染を防止することができる。
従って、主催者側、レストラン側としては、ウィルス対策を、従来よりも容易かつ安価に実行することが可能となる。
【００１７】
また、客が、会場、レストラン等において本考案に係る卓上パーテーションを係員から受け取った又は自発的に取得した場合であっても、本考案に係るパーテーションは折りたたまれていることから、持ち運びが容易であり、煩雑さはない。
【００１８】
さらに、会合終了時、又は会食終了時には、容易かつ迅速に廃棄することができることから、従来の設置型パーテーションにおけるような、主催者側、レストラン側での係員による、シールド面のふき取り作業等が不要となる。
請求項２記載の考案によれば、持ち運びが更に容易な卓上パーテーションを実現できる。
請求項３記載の考案によれば、使用状況に応じて、卓上パーテーションの横幅を調節できる。
【００１９】
請求項４記載の考案によれば、最大高さ寸法が４１．５ｃｍ、最大幅寸法が７３ｃｍに形成されていることから、両端部を折り曲げて机やテーブル上に設置された場合には、着座者の顔面のほぼ鼻部の高さに至ると共に、身体前面を概ね被覆することができるため、着座者の会話による唾液飛沫の相手方への到達を有効に遮蔽することが可能となる。
また、着座者の視野を遮ることはないため、着座者の交流に障害とはならない。さらに、使用状況、着座者の体格に応じて、卓上パーテーションの高さを調節して適切に使用することができる。
【００２０】
請求項５記載の考案によれば、必要に応じて、卓上パーテーションにマスク掛けを形成することができる。
【００２１】
請求項６記載の考案によれば、軽量で搬送性に優れたパーテーションを提供することができる。
【００２２】
また、必要に応じて、仕切り体の下端部の中央部分に開口部を形成することができるため、対面した着座した着座者同士の間での各種の物品のやり取りを行うことができ、便利である。
【図面の簡単な説明】
【００２３】
【図１】一実施形態の卓上パーテーションを構成する仕切り体の展開状態（折り曲げていない状態）を例示する正面図である。
【図２】（Ａ）は図１に示す仕切り体を折り畳んだ状態（卓上パーテーションの非使用状態）を例示する正面図である。（Ｂ）は一実施形態の卓上パーテーションの使用状態を例示する斜視図である。
【図３】（Ａ）は一実施形態の卓上パーテーションの開口部を形成した状態を例示する斜視図である。（Ｂ）は一実施形態の卓上パーテーションの開口部を形成した別の状態を例示する説明図である。
【図４】（Ａ）は一実施形態の卓上パーテーションの高さ調節を行った状態を例示する斜視図である。（Ｂ）は一実施形態の卓上パーテーションの高さ調節を行った別の状態を例示する説明図である。
【図５】一実施形態の卓上パーテーションのマスク掛けを形成した状態を例示する説明図である。
【考案を実施するための形態】
【００２４】
以下、本考案の一実施形態について添付図面を参照しつつ説明する。
【００２５】
［構成］
一実施形態の卓上パーテーション１０は、図１に例示する薄板状の仕切り体２０からなる。
仕切り体２０の素材は、板紙又は折り曲げ可能な合成樹脂により形成されている。
【００２６】
卓上パーテーション１０は、非使用時には、図２（Ａ）に例示するように、仕切り体２０を左右方向中央部において折り畳んだ状態にしておき、使用時には、図２（Ｂ）に例示するように、折りたたんだ状態から左右方向へ展開し、仕切り体２０の左右方向の一端部分（以下、「左端折曲部」と称す）２１及び他端部分（以下、「右端折曲部」と称す）２２を前後方向に互いに反対に折り曲げた状態にすることにより、卓上に自立させて設置できるように構成されている。
【００２７】
図１に示すように、仕切り体２０は、直線状の底辺２０ａと、底辺２０ａに直交する直線状の左辺２０ｂ及び右辺２０ｃと、円弧状の上辺２０ｄとを有する。
【００２８】
仕切り体２０の左右方向中央には、仕切り体２０を半分に折り畳むための折り線（以下、「中心折り線」と称す）２３が設けられている。この折り線２３は、仕切り体２０の左右方向における正確な中央から左右方向において２ｍｍずれて配置されている。これは折り線２３において左右方向で半分に折り畳んだ際に、仕切り体２０の厚さ寸法分左右方向にずらすことにより、折り畳んだ際に、仕切り体２０の厚さ寸法分を吸収して左右方向両端部がずれることなく折り畳め、搬送時に違和感なく搬送できるように構成されている。
また、仕切り体２０の最大高さ寸法（折り線２３の長さ寸法）が４１．５ｃｍ、最大幅寸法は７３ｃｍに形成されている。
【００２９】
仕切り体２０の左辺２０ｂ側には、左端折曲部２１の折り曲げ位置を規定する複数（この例では２本）の第１折り線２４ａ、２４ｂが設けられている。仕切り体２０の右辺２０ｃ側には、右端折曲部２２の折り曲げ位置を規定する複数（この例では２本）の第２折り線２５ａ、２５ｂが設けられている。
【００３０】
仕切り体２０の上端側には、高さ調節用の複数（この例では２本）の切り取り線２６ａ、２６ｂが設けられている。
【００３１】
仕切り体２０の左右両端部には、マスク掛け４０（図５参照）を形成するためのスリット２７ａ、２７ｂが設けられている。
【００３２】
仕切り体２０の下端部の中央部分には、開口部５０（図３参照）を形成するための３本の、たがいに直交する切り取り線２８ａ、２８ｂ、２８ｃが設けられている。それらのうちの２本の切り取り線（以下、「縦切り取り線」と称す）２８ａ、２８ｂは、中心折り線２３に関して左右対称位置に設けられ、残りの１本の切り取り線（以下、「横切り取り線」と称す）２８ｃは、両縦切り取り線２８ａ、２８ｂの上端近傍間に設けられている。
また、両縦切り取り線２８ａ、２８ｂの上端間には、図３（Ａ）に例示するように、両縦切り取り線２８ａ、２８ｂに沿って切り込みを入れた後に、両縦切り取り線２８ａ、２８ｂの間の窓領域部分５１を折り曲げるための折り線２９が設けられている。
【００３３】
［作用・効果］
上記のように構成された卓上パーテーション１０は、非使用時には、図２（Ａ）に例示するように、仕切り体２０を中心折り線２３、第１折り線２４ａ及び第２折り線２５ａに沿って折り畳んだコンパクトな状態にできるので、持ち運びが容易である。
そして、卓上パーテーション１０は、使用時には、仕切り体２０を展開し、図２（Ｂ）に例示するように、仕切り体２０の左端折曲部２１及び右端折曲部２２を前後方向に互いに反対方向に折り曲げた状態にするという簡易な作業により、卓上に自立させて安定して設置することができる。
したがって、この実施形態によれば、持ち運びが容易で、必要なときに卓上に簡易に設置することができる卓上パーテーションを実現できる。
その結果、本実施の形態に係る卓上パーテーション１０が使用された場合には、客が机やテーブルに対面して着座する場合であっても、簡易かつ迅速に机上に卓上パーテーション１０が安定して展開、設置されることから、両者間に適切な仕切が形成される。
【００３４】
また、この実施形態では、仕切り体２０の左辺２０ｂ側に、２本の第１折り線２４ａ、２４ｂが設けられているので、左端折曲部２１の折り曲げ位置を、外側の第１折り線２４ａ又は内側の第１折り線２４ｂのどちらかに選択できる。
仕切り体２０の右辺２０ｃ側に、２本の第２折り線２５ａ、２５ｂが設けられているので、右端折曲部２２の折り曲げ位置を、外側の第２折り線２５ａ又は内側の第２折り線２５ｂどちらかに選択できる。したがって、この実施形態によれば、使用状況に応じて、左端折曲部２１及び右端折曲部２２の折り曲げ位置を選択することにより、卓上パーテーション１０の横幅（左右方向の長さ）を適宜調節できる。本実施の形態にあっては、外側の折り線２４ａ、２５ａにおいて折り曲げた場合の仕切り体２０の正面幅寸法は５０ｃｍとなるように構成されている。従って、着座者の身体前面をほぼ被覆することが可能となる。
本実施の形態にあっては、仕切り体２０の最大高さ寸法が４１．５ｃｍ、最大幅寸法が７３ｃｍに形成され、かつ、外側の折り線２４ａ、２５ａにおいて折り曲げた場合の仕切り体２０の正面幅寸法は５０ｃｍとなるように構成されていることから、机やテーブル上に設置された際には、着座者の顔面のほぼ鼻部の高さに至ると共に、身体前面を概ね被覆することができるため、着座者の会話による唾液飛沫の相手方への到達を有効に遮蔽することが可能となる。
その結果、対面する両者間において会話等が行われ、会話に伴う唾液等の霧状の飛沫の飛散があった場合であっても、仕切り体２０によりその飛沫の相手方への到達を有効に阻止することができる。
【００３５】
また、この実施形態では、仕切り体２０の上端側に、高さ調節用の２本の切り取り線２６ａ、２６ｂが設けられているので、図４（Ａ）、（Ｂ）に例示するように、仕切り体２０の上端部分３０を、使用状況に応じて、上側の切り取り線２６ａ又は下側の切り取り線２６ｂに沿って切断することにより、卓上パーテーション１０の高さを調節できる。
卓上パーテーション１０の高さは、卓上パーテーション１０を卓上に立設した際に、対面者の鼻部以上の高さまで遮蔽し得る高さ寸法に調節されることが望ましい。これにより上記のように対面する客同士による会話での唾液飛沫の相手方への到達を有効に阻止することが可能となる。その結果、客同士の間での会話等によるウィルスの飛沫感染を有効に防止することが可能となる。
【００３６】
また、この実施形態では、仕切り体２０の左右両端部に、マスク掛け４０を形成するためのスリット２７ａ、２７ｂが設けられているので、図５に例示するように、仕切り体２０の左右両端部をスリット２７ａ、２７ｂに沿って折り曲げるなどして、卓上パーテーション１０にマスク掛け４０を形成することができる。マスクＭ以外の物をマスク掛け４０に掛けることも可能である。
【００３７】
また、この実施形態では、仕切り体２０の下端部の中央部分に、縦切り取り線２８ａ、２８ｂ及び折り線２９が設けられているので、仕切り体２０を両縦切り取り線２８ａ、２８ｂに沿って切断した後に、図３（Ａ）に例示するように、両縦切り取り線２８ａ、２８ｂの間の窓領域部分５１を折り線２９に沿って折り曲げることにより、開口部５０を形成することができる。開口部５０が形成されることで、卓上パーテーション１０で遮られた対面者間での、飲み物のグラスや食物等の物のやり取りが容易になる。
【００３８】
また、仕切り体２０には、縦切り取り線２８ａ、２８ｂ及び横切り取り線２８ｃが設けられているので、仕切り体２０を、両縦切り取り線２８ａ、２８ｂ及び横切り取り線２８ｃに沿って切断することにより、図３（Ｂ）に例示するように、窓領域部分５１を切り離すことができる。切り離した開口領域部分５１は、半分に切断することにより、コップＣなどの下に敷くコースター５１ａ、５１ｂなどとして使用することができる。
【００３９】
また、卓上パーテーション１０は、携帯可能であることから、例えば、店、催し物会場の入り口で、卓上パーテーション１０を客に手渡すことにより適宜、客が自ら卓上パーテーション１０を卓上に設置して使用し、使用後は、廃棄することができる。このため、既設型のパーテーションのように、客の離席後に、係員がパーテーションの表面を払拭する作業を行う必要がなく、衛生的である。
【００４０】
また、例えば、セミナー会場で、対面型の討論が行われる場合であっても、必要時のみ卓上パーテーション１０を卓上に設置して使用することにより感染対策を行うことができ、各卓に既設型のパーテーションを設置する煩雑さがない。
【００４１】
また、入店時、入室時に、客に卓上パーテーション１０を配ることにより、感染対策を十分に行っていることを印象付けることが可能となり、客に安心感を与えることができる。
【００４２】
また、卓上パーテーション１０は、卓上に簡易に設置できるので、居酒屋や定食屋などにおいて卓上に設置されるメニュー表として利用することもできる。また、本実施の形態にあっては、図１に示すように、仕切り体１０の表面に模様柄が印刷されている場合を例に説明したが、上記実施の形態に限定されず、無地であってもよい。
【００４３】
なお、本考案は、上記実施形態に限定されない。たとえば、上記実施形態では、非使用時の状態が、仕切り体２０を中心折り線２３、第１折り線２４ａ及び第２折り線２５ａに沿って折り畳んだ状態である卓上パーテーション１０について説明したが、中心折り線２３を省略し、非使用時の状態が、左端折曲部２１及び右端折曲部２２のみ折り畳んだ状態である卓上パーテーション１０も本考案の技術的範囲に含まれることはいうまでもない。
【００４４】
また、仕切り体２０の上端部分３０を切り取るための切り取り線２６ａ、２６ｂ及び窓領域部分５１を切り取るための切り取り線２８ａ、２８ｂ、２８ｃには、ミシン目が形成されていてもよい。ミシン目が形成されていることにより、鋏などを使用することなくこれらの部分を切り取ることができる。従って、卓上パーテーション１０を構成するに際して、ハサミや他の道具等を一切使用する必要がなく、誰しもが組み立てを容易に行うことができる。
【００４５】
また、上記実施形態では、マスク掛け４０を形成するためのスリット２７ａ、２７ｂが仕切り体２０の左辺２０ｂ及び右辺２０ｃに対して並行に形成されているが、マスク掛け４０を形成するための複数のスリットを左辺２０ｂ及び右辺２０ｃに対して垂直に形成してもよい。この構成によれば、相隣接するスリット間の部分を折り曲げるなどしてマスク掛けを形成することができる。また、この構成によれば、複数のスリット或いはマスク掛けとなる部分を、卓上パーテーション１０同士を連結するための連結部として使用することもできる。
【符号の説明】
【００４６】
１０  卓上パーテーション
２０  仕切り体
２１  左端折曲部（一端部分）
２２  右端折曲部（他端部分）
２３  中心折り線（折り線）
２４ａ  第１折り線
２４ｂ  第１折り線
２５ａ  第２折り線
２５ｂ  第２折り線
２６ａ  切り取り線
２６ｂ  切り取り線
２７ａ  スリット
２７ｂ  スリット
２８ａ  縦切り取り線（切り取り線）
２８ｂ  縦切り取り線（切り取り線）
２８ｃ  横切り取り線（切り取り線）
２９  折り線
３０  上端部分
４０  マスク掛け
５０  開口部
５１  開口領域部分
【図１】
0003229360.tif 000003
【図２】
0003229360.tif 000004
【図３】
0003229360.tif 000005
【図４】
0003229360.tif 000006
【図５】
0003229360.tif 000007